(57)【要約】【課題】プレートの内部に水が浸入することを防ぐことができる上、電池交換が容易である上方から蓋を開いて電池交換可能な発光プレートを提供する。【解決手段】上方から蓋を開いて電池交換可能な発光プレートは、プレートベース１０、発光モジュール２０、少なくとも１つの電池３０、透明カバー１３、プレート上蓋４０及び少なくとも１つの防水片６０を備える。プレートベース１０には、防水ガード１１が設けられる。防水ガード１１内には、収容槽１２が形成される。発光モジュール２０は、防水ガード１１の収容槽１２内に配設される。電池３０は、防水ガード１１の収容槽１２内に配設され、発光モジュール２０に必要な電力を供給する。透明カバー１３は、防水ガード１１の頂端開口を覆うとともに、少なくとも１つの電池取出穴１３２を有する。プレート上蓋４０は、電池取出穴１３２を有するプレートベース１０上に分離可能に取り付けられる。【選択図】図１
0003223482.tif 000002
【実用新案登録請求の範囲】
【請求項１】
プレートベース、発光モジュール、少なくとも１つの電池、透明カバー、プレート上蓋及び少なくとも１つの防水片を備えた、上方から蓋を開いて電池交換可能な発光プレートであって、
前記プレートベースには、防水ガードが設けられ、前記防水ガード内には、収容槽が形成され、
前記発光モジュールは、前記防水ガードの前記収容槽内に配設され、
前記電池は、前記防水ガードの前記収容槽内に配設され、前記発光モジュールに必要な電力を供給し、
前記透明カバーは、前記防水ガードの頂端開口を覆うとともに、少なくとも１つの電池取出穴を有し、
前記プレート上蓋は、前記電池取出穴を有する前記プレートベース上に分離可能に取り付けられ、前記プレート上蓋を開くと前記電池を交換し得るとともに、前記プレート上蓋には表示窓が形成され、
前記防水片は、前記プレート上蓋下に結合され、前記プレート上蓋が前記プレートベース上に組み合わされると、前記電池取出穴に挿入されることを特徴とする、上方から蓋を開いて電池交換可能な発光プレート。
【請求項２】
前記発光モジュールは、複数の発光ダイオードを有する回路基板と、前記回路基板上に配設された導光板と、を有することを特徴とする請求項１に記載の上方から蓋を開いて電池交換可能な発光プレート。
【請求項３】
前記透明カバーは、中央部に設けられた光透過領域と、左右両側にそれぞれ形成された電池取出穴と、を有することを特徴とする請求項１に記載の上方から蓋を開いて電池交換可能な発光プレート。
【請求項４】
前記透明カバーと前記防水ガードとの接合面には、防水リングが結合されていることを特徴とする請求項１に記載の上方から蓋を開いて電池交換可能な発光プレート。
【請求項５】
前記防水リングは、防水接着層又は防水ゴムリングであることを特徴とする請求項４に記載の上方から蓋を開いて電池交換可能な発光プレート。
【請求項６】
前記防水片はソフトスポンジであることを特徴とする請求項１に記載の上方から蓋を開いて電池交換可能な発光プレート。
【請求項７】
前記プレート上蓋は金属板材からなり、
前記プレートベース上には、前記プレート上蓋に吸着される複数の磁石が設けられていることを特徴とする請求項１に記載の上方から蓋を開いて電池交換可能な発光プレート。
【請求項８】
前記プレートベースは、前記磁石を収容する複数の位置決め孔槽を有することを特徴とする請求項７に記載の上方から蓋を開いて電池交換可能な発光プレート。
【請求項９】
前記プレートベースの側縁には、少なくとも１つの指掛け穴が形成されていることを特徴とする請求項１又は７に記載の上方から蓋を開いて電池交換可能な発光プレート。
【考案の詳細な説明】
【技術分野】
【０００１】
本考案は、自動車のドアプレートの発光プレートに関し、特に、電池により給電し、電源を外付けする必要がない自動車のドアプレートの発光プレートに関する。
【背景技術】
【０００２】
自動車のドアプレート上には、ロゴマーク又は自動車のメーカー名を表示する発光プレートが取り付けられ、必要不可欠な標準装備となっている。
【０００３】
電源ケーブルにより車両の給電システムに接続されていた従来の発光プレートと比べ、電池が内蔵されて電源を外付けする必要のない発光プレートは、取付け及びメンテナンスし易い長所を有するため、現在、主流の製品となっている。
【０００４】
発光プレートの内部には、電池、回路基板などの電子部品が設けられ、水がプレートの内部に浸入して損壊させたり正常な状態で使用できなくなったりすることがよくあったため、従来の発光プレートの内部防水に関しては、改善の余地があった。
【０００５】
また、電池交換が容易でないということも発光プレートを使用する際の問題点であった。
【考案の概要】
【考案が解決しようとする課題】
【０００６】
本考案の目的は、プレートの内部に水が浸入することを防ぐ、上方から蓋を開いて電池交換可能な発光プレートを提供することにある。
本考案のもう一つの目的は、電池交換が容易な、上方から蓋を開いて電池交換可能な発光プレートを提供することにある。
【課題を解決するための手段】
【０００７】
上記課題を解決するために、本考案の第１の形態によれば、プレートベース、発光モジュール、少なくとも１つの電池、透明カバー、プレート上蓋及び少なくとも１つの防水片を備えた、上方から蓋を開いて電池交換可能な発光プレートであって、前記プレートベースには、防水ガードが設けられ、前記防水ガード内には、収容槽が形成され、前記発光モジュールは、前記防水ガードの前記収容槽内に配設され、前記電池は、前記防水ガードの前記収容槽内に配設され、前記発光モジュールに必要な電力を供給し、前記透明カバーは、前記防水ガードの頂端開口を覆うとともに、少なくとも１つの電池取出穴を有し、前記プレート上蓋は、前記電池取出穴を有する前記プレートベース上に分離可能に取り付けられ、前記プレート上蓋を開くと前記電池を交換し得るとともに、前記プレート上蓋には表示窓が形成され、前記防水片は、前記プレート上蓋下に結合され、前記プレート上蓋が前記プレートベース上に組み合わされると、前記電池取出穴に挿入されることを特徴とする、上方から蓋を開いて電池交換可能な発光プレートが提供される。
【０００８】
前記発光モジュールは、複数の発光ダイオードを有する回路基板と、前記回路基板上に配設された導光板と、を有することが好ましい。
【０００９】
前記透明カバーは、中央部に設けられた光透過領域と、左右両側にそれぞれ形成された電池取出穴と、を有することが好ましい。
【００１０】
前記透明カバーと前記防水ガードとの接合面には、防水リングが結合されていることが好ましい。
【００１１】
前記防水リングは、防水接着層又は防水ゴムリングであることが好ましい。
【００１２】
前記防水片はソフトスポンジであることが好ましい。
【００１３】
前記プレート上蓋は金属板材からなり、前記プレートベース上には、前記プレート上蓋に吸着される複数の磁石が設けられていることが好ましい。
【００１４】
前記プレートベースは、前記磁石を収容する複数の位置決め孔槽を有することが好ましい。
【００１５】
前記プレートベースの側縁には、少なくとも１つの指掛け穴が形成されていることが好ましい。
【考案の効果】
【００１６】
本考案の上方から蓋を開いて電池交換可能な発光プレートは、プレートの内部に水が浸入することを防ぐことができる上、電池交換が容易である。
【図面の簡単な説明】
【００１７】
【図１】図１は、本考案の一実施形態に係る発光プレートの上蓋を開いた状態を示す斜視図である。
【図２】図２は、本考案の一実施形態に係る発光プレートの別の角度からの斜視図である。
【図３】図３は、本考案の一実施形態に係る発光プレートを示す分解斜視図である。
【図４】図４は、本考案の一実施形態に係る発光プレートからプレート上蓋を外した状態を示す上面図である。
【考案を実施するための形態】
【００１８】
以下、本考案の目的、特徴及び効果をより分かりやすくするために、具体的な実施形態について図に基づいて詳しく説明する。
【００１９】
図１〜図４を参照する。本考案の一実施形態に係る上方から蓋を開いて電池交換可能な発光プレートは、少なくとも発光プレート１を備える。発光プレート１は、プレートベース１０と、プレートベース１０内に設置した発光モジュール２０と、少なくとも１つの電池３０と、プレートベース１０上に組み合わせるプレート上蓋４０と、を含む。
【００２０】
上述したプレートベース１０上には、防水ガード１１が設けられる。防水ガード１１により閉止した周壁のように取り囲まれた収容槽１２内に発光モジュール２０及び電池３０が配設され、防水ガード１１の頂端開口が透明カバー１３により覆われて防水効果が得られる。
【００２１】
上述した透明カバー１３は、中央部に設けられた光透過領域１３１と、左右両側にそれぞれ形成された電池取出穴１３２と、を有する。透明カバー１３は、接着方式により防水ガード１１上に覆うように結合される。透明カバー１３と防水ガード１１との接合面１３３，１１１上には防水リング５０が結合されるが、この防水リング５０は、防水接着層又は防水ゴムリングでもよい。
【００２２】
図１〜図３に示すように、上述した発光モジュール２０の左右両側には、複数の発光ダイオード２２の回路基板２１と、回路基板２１上に設置された導光板２３と、が設けられる。また、回路基板２１の両端には、導電片２４が設けられる。
【００２３】
上述した電池３０は、防水ガード１１の収容槽１２内に配設される。電池３０は、発光モジュール２０の左右両側に取り付けられるとともに、回路基板２１の両端に位置する導電片２４と電気的に接続され、回路基板２１及び発光ダイオード２２に必要な電力を供給する。
【００２４】
電池交換がより容易となるように、上述した透明カバー１３は、各電池３０に対応した位置に形成された電池取出穴１３２を有する。そのため、電池３０を交換する必要がある場合、プレート上蓋４０を開くだけで、電池取出穴１３２を介して電池３０を取り出すことができるため、電池３０の交換を簡易に行うことができる。しかし、電池取出穴１３２から収容槽１２内に水が侵入することを防ぐために、プレート上蓋４０下には、電池取出穴１３２に挿入される防水片６０が設けられる。防水片６０は、ソフトスポンジである上、電池取出穴１３２の寸法より僅かに大きいため、電池取出穴１３２に挿入されると外部の水が電池取出穴１３２を介して収容槽１２内に浸入することを防ぎ、発光モジュール２０及び電池３０を正常な状態で使用することができる。
【００２５】
本実施形態において、上述したプレート上蓋４０は金属板材からなり、プレートベース１０上の開口部１４の形状に対応し、プレート上蓋４０は、プレートベース１０上をちょうど良く覆う外形を有する。プレート上蓋４０は、プレートベース１０上に分離可能に取り付けられ、表示窓４１を有し、発光モジュール２０が表示する画面又は画像を見ることができる。
【００２６】
電池３０が交換し易いように、プレートベース１０の開口部１４内には、磁石７０を取り付ける複数の位置決め孔槽１５が形成される。複数の位置決め孔槽１５は、数が限定されず、磁石７０がそれぞれ収容される。従って、プレート上蓋４０が開口部１４に位置合わせされてプレートベース１０上を覆うと、磁石７０によりプレート上蓋４０を吸着して位置決めし、速やかに組立てることができる。
【００２７】
前述した磁石７０の吸着固定方式を採用する主な目的は、ユーザがプレート上蓋４０を開くだけで、交換する電池３０を電池取出穴１３２からを取り出すことができるため、発光プレートの底部で電池を交換しなければならない従来の製品と比べ、本考案の構造では、電池３０を容易に交換することができる。また、プレート上蓋４０を容易に取り外すことができるように、プレートベース１０の側縁又はプレート上蓋４０の側縁には、少なくとも１つの指掛け穴８０が形成されているため、工具が無くてもプレート上蓋４０を開いて速やかに取り外すことができる。
【００２８】
上述したことから分かるように、本考案の上方から蓋を開いて電池交換可能な発光プレート１は、防水機能を備え、発光モジュール２０及び電池３０を収容する収容槽１２内に水が浸入することを効果的に防ぐことができる。また、透明カバー１３上には、電池取出穴１３２が直接形成され、プレート上蓋４０を開くと、電池３０を容易に交換することができ、プレート上蓋４０下には、電池取出穴１３２に密に挿入される防水片６０が設けられる。
【００２９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３０】
１  発光プレート
１０  プレートベース
１１  防水ガード
１２  収容槽
１３  透明カバー
１４  開口部
１５  位置決め孔槽
２０  発光モジュール
２１  回路基板
２２  発光ダイオード
２３  導光板
２４  導電片
３０  電池
４０  プレート上蓋
４１  表示窓
５０  防水リング
６０  防水片
７０  磁石
８０  指掛け穴
１１１  接合面
１３１  光透過領域
１３２  電池取出穴
１３３  接合面
【図１】
0003223482.tif 000003
【図２】
0003223482.tif 000004
【図３】
0003223482.tif 000005
【図４】
0003223482.tif 000006